(57)【特許請求の範囲】
【請求項１】
筐体に取り付けられるべき第１取付け部材と扉に取り付けられるべき第２取付け部材と前記第１及び第２取付け部材を相互に枢支するリンクアームとから成り、前記第２取付け部材は、前記リンクアームを介して前記第１取付け部材に折り畳まれた位置と前記第１取付け部材から展開した位置との間を変位して前記扉を前記筐体に開閉自在に支持するようにしたヒンジ装置において、
前記第１取付け部材は、扉の荷重を下支えする補強延長片を有し、前記補強延長片は、前記リンクアームが前記第２取付け部材に枢支する枢支軸の変位を許す逃げ溝を有すること、および、
前記第１と第２の取付け部材は、折り畳み状態で相互に重合するコ字形重合部を有すること、および、
前記補強延長片は、前記第１取付け部材のコ字形重合部から延びていること
を特徴とするヒンジ装置。
【発明の詳細な説明】
【技術分野】
【０００１】
本発明は、扉を筐体に開閉自在に支持するヒンジ装置に関し、更に詳細に述べると、扉の閉じ位置では相互に重合し、扉の完全開位置では展開する２つの取付け部材を含むヒンジ装置の改良に関するものである。
【背景技術】
【０００２】
この種のヒンジ装置は、筐体に取り付けられるべき第１取付け部材と扉に取り付けられるべき第２取付け部材とこれらの第１及び第２取付け部材を相互に枢支するリンクアームとから成り、第２取付け部材は、リンクアームを介して第１取付け部材に重合して折り畳まれた位置と第１取付け部材から展開した位置との間を変位して扉を筐体に開閉自在に支持するようにしている（特許文献１参照）。
【０００３】
第１及び第２取付け部材は、通常、扉の閉位置で相互に重合するが、扉の開位置では重合が外れるコ字形重合部をそれぞれ有する。
【０００４】
このように、扉の開位置で第１及び第２取付け部材が重合から外れて展開すると、扉は、リンクアームを介して筺体に支持されることになるので、リンクアームを第２取付け部材に枢支する枢支軸に扉の重量が加わり、この枢支軸やこの枢支軸の軸受け孔が変形して、筐体に対して扉が垂れるため、扉を筐体に正しく閉じたり開いたりすることができなくなる欠点があった。
【０００５】
【特許文献１】特開２００４−１０８０９８号公報
【発明の開示】
【発明が解決しようとする課題】
【０００６】
本発明が解決しようとする課題は、リンクアームの枢支軸や軸受け孔の変形を有効に防止して扉が垂れることがなく、扉を筐体に対して正しく開閉することができるヒンジ装置を提供することにある。
【課題を解決するための手段】
【０００７】
本発明の課題解決手段は、
筐体に取り付けられるべき第１取付け部材と扉に取り付けられるべき第２取付け部材と前記第１及び第２取付け部材を相互に枢支するリンクアームとから成り、前記第２取付け部材は、前記リンクアームを介して前記第１取付け部材に折り畳まれた位置と前記第１取付け部材から展開した位置との間を変位して前記扉を前記筐体に開閉自在に支持するようにしたヒンジ装置において、
前記第１取付け部材は、扉の荷重を下支えする補強延長片を有し、前記補強延長片は、前記リンクアームが前記第２取付け部材に枢支する枢支軸の変位を許す逃げ溝を有すること、および、
前記第１と第２の取付け部材は、折り畳み状態で相互に重合するコ字形重合部を有すること、および、
前記補強延長片は、前記第１取付け部材のコ字形重合部から延びていること
を特徴とするヒンジ装置
を提供することにある。
【発明の効果】
【０００８】
本発明によると、第１取付け部材は、扉の荷重を下支えする補強延長片を有するので、リンクアームが第２取付け部材に枢支する枢支軸や軸受け孔の変形を有効に防止することができるから、ヒンジ装置を破損することがなく、また扉を筐体に対して正しく開閉することができる。
【発明を実施するための最良の形態】
【０００９】
本発明の好ましい実施の形態によるヒンジ装置１０を用いたキャビネット１が図１に示され、キャビネット１は、筐体２と扉３とから成っており、ヒンジ装置１０は、扉３を筐体２に開閉自在に支持するようにキャビネット１に取り付けられている。
【００１０】
ヒンジ装置１０は、図２及び図３に示すように、キャビネット１の上下に取り付けられており、これらの上下のヒンジ装置１０は、上下対称に形成されていることを除いて全く同じ構造を有するので、以下、下方のヒンジ装置１０のみを説明する。
【００１１】
ヒンジ装置１０は、筐体２に取り付けられるべき第１取付け部材２０と、扉３に取り付けられるべき第２取付け部材３０と、第１と第２の取付け部材２０、３０を相互に枢支するリンクアーム４０とから成っている。
【００１２】
第１取付け部材２０は、図４（上方のヒンジ装置１０を示す）及び図５（下方のヒンジ装置１０を示す）に示すように、取付け板部２２とこの取付け板部２２に一体に形成されて扉３の閉じ位置で第２取付け部材３０に重合すべき重合部２４とから成っている。重合部２４は、図示の形態では、コ字形であるのが示されている。
【００１３】
第２取付け部材３０も、図４及び図５に示すように、取付け板部３２とこの取付け板部３２に一体に形成されて扉３の閉じ位置で第２取付け部材２０の重合部２４に重合すべき重合部３４とから成っている。重合部３４は、図示の形態では、コ字形であるのが示されている。
【００１４】
第１取付け部材２０は、重合部２４が扉３の窪み３Ｒに入り込むようにして取付け板部２２を筐体２の天板（上方のヒンジ装置）及び底板（下方のヒンジ装置）にねじ止めして筐体２に取り付けられ、また第２取付け部材３０は、扉３の窪み３Ｒに係入しその折り曲げ部３６を窪み３Ｒの開口を通して扉３の内面にねじ止めして扉３に取り付けられている。
【００１５】
図示の形態では、扉３の閉じ位置で、第２取付け部材３０の重合部３４が第１取付け部材２０の重合部２４の外側に重合するように形成されているが、逆に、第１取付け部材２０の重合部２４が第２取付け部材３０の重合部３４の外側に重合するように形成されていてもよい。
【００１６】
リンクアーム４０は、図４及び図５に示すように、２つのアーム４２、４４から成っているが、アームの数は、１つでもよいし、３つ以上であってもよい。一方のアーム４２は、平板状であるが、他方のアーム４４は、アーム４２に重合することができるコ字形であるのが示されているが、相互に重合することができれば、両方とも、平板状又はコ字形であってもよい。
【００１７】
リンクアーム４２，４４の一端は、それぞれ、ピン状の枢支軸４２ＳＡ、４４ＳＡによって第１取付け部材２０の重合部２４に枢支され、他端は、それぞれ、ピン状の枢支軸４２ＳＢ、４４ＳＢによって第２取付け部材３０の重合部３４から延びている延長片３４Ｅに枢支されている。
【００１８】
図８（Ｆ）に示すように、リンクアーム４０のアーム４４は、その変位の過程で第１取付け部材２０の重合部２４の側壁縁２４ｅに衝合する段部４４Ｓを有し、また他方のアーム４２に相対する側にその枢支軸４２ＳＢが係入して扉３の完全開位置を保持する凹部４４Ｒを有するが、段部４４Ｓ及び凹部４４Ｒの機能は、本発明のヒンジ装置１０の詳細な動作とともに後述する。
【００１９】
このヒンジ装置１０は、扉３を閉じると、図６及び図１１（Ａ）に示すように、リンクアーム４０の２つのアーム４２、４４がほぼ平行になるように位置して第２取付け部材３０の重合部３４が第１取付け部材２０の重合部２４に重合し（特に、図６（Ｄ）及び図６（Ｆ）参照）、また扉３を完全に開くと、図１０及び図１１（Ｅ）に示すように、リンクアーム４０の２つのアーム４２、４４がほぼＴ字状に交差するように位置して第２取付け部材３０の重合部３４が第１取付け部材２０の重合部２４から展開し（特に、図１０（Ｄ）及び図１０（Ｅ）参照）、扉３の閉じ位置と完全開き位置との間では、図７、図８、図９及び図１１（Ｂ）乃至（Ｄ）に示すように、リンクアーム４０の２つのアーム４２、４４が相対位置を変位しながら第２取付け部材３０の重合部３４が第１取付け部材２０の重合部２４から徐々に離れるようになっている。
【００２０】
本発明のヒンジ装置１０は、扉の荷重、図示の形態では、リンクアーム４０及び第２取り付け部材３０に加わる荷重を下支えするようにリンクアーム４０及び第２取り付け部材３０の枢支部に重合する補強延長片２４Ｅを有し、この補強延長片２４Ｅは、リンクアーム４０が第２取付け部材３０に枢支する枢支軸４２ＳＢ、４４ＳＢの変位を許す逃げ溝２４Ｇを有する。なお、図３（Ｂ）、図４（Ｂ）から解るように、この補強延長片２４Ｅは、第２取付け部材３０の重合部３４の延長片３４Ｅにほぼ相応する形状を有するが、必ずしも、延長片３４Ｅに相応していなくてもよいが、リンクアーム４０がどの位置に変位してもリンクアーム４０に重合するように形成されていることが要求される。
【００２１】
また、補強延長片２４Ｅの逃げ溝２４Ｇは、２つの枢支軸４２ＳＢ、４４ＳＢが扉３の開位置から完全閉じ位置に移動するまでの間に変位する軌道に相応する形状を有していてリンクアーム４２、４４がその軌道のどの位置にあっても延長片２４Ｅに干渉しないように形成されている。なお、図４及び図５において、符号５０は、第１取付け部材２０の重合部２４と第２取付け部材３０の重合部３４との間に配置されたスペーサである。
【００２２】
次に、本発明のヒンジ装置１０の動作を図６乃至図１０及び図１１を参照して詳細に述べると、まず、扉３を完全に閉じた位置では、図６及び図１１（Ａ）に示すように、第１及び第２取付け部材２０、３０のコ字形重合部２４、３４が内外に重合しており、リンクアーム４０の２つのアーム４２、４４は、図６（Ｆ）に示すように、ほぼ平行に位置している。
【００２３】
この位置から扉３を、例えば、１５°まで開くと、図７及び図１１（Ｂ）に示すように、リンクアーム４０の２つのアーム４２、４４が第１取付け部材２０側の枢支軸４２ＳＡ、４４ＳＡを中心に反時計方向に揺動しながら第２取付け部材３０の重合部３４が第１取付け部材２０の重合部２４から時計方向に揺動するように離れる。
【００２４】
扉３を更に４５°まで開くと、図８及び図１１（Ｃ）に示すように、リンクアーム４０の２つのアーム４２、４４が第１取付け部材２０側の枢支軸４２ＳＡ、４４ＳＡを中心に更に反時計方向に揺動しながら第２取付け部材３０の重合部３４が第１取付け部材２０の重合部から更に離れるように時計方向に揺動するが、アーム４４の揺動角度は、アーム４２の揺動角度よりも小さく、従って両アーム４２，４４は、その平行状態からやや小さい角度で交差する状態になる。このため、第２取付け部材３０側のアーム４２の枢支軸４２ＳＢがアーム４４の枢支軸４４ＳＢを中心に相対的に時計方向に揺動することになって第２取付け部材３０の重合部３４の揺動が促進されて重合部２４から大きく展開する。
【００２５】
同様にして、扉３を更に７５°、１００°まで開くと、図９、図１０及び図１１（Ｄ）（Ｅ）に示すように、アーム４２，４４は、交差角度が大きくなるように、相対的に揺動して第２取付け部材３０の重合部３４が第１取付け部材２０の重合部２４から更に離反するように展開する。この場合、図１０（Ｆ）から解るように、アーム４４は、枢支軸４２ＳＢが係入する滑らかに傾斜する凹部４４Ｒを有し、従って、アーム４２とアーム４４とは、枢支軸４２ＳＢと凹部４４Ｒとの係合（噛合い）によって扉３を１００°の開位置（完全開位置）に安定的に保持する。
【００２６】
扉３を閉じるときには、第２取付け部材３０の重合部３４は、リンクアーム４０の逆方向の揺動に応じて、図１０の状態から図６の状態に向けて第１取付け部材２０の重合部２４に重合するまで、逆方向（閉じる方向）に揺動する。
【００２７】
扉３を開くと、第２取付け部材３０の重合部３４が第１取付け部材２０の重合部２４から外れるが、リンクアーム４０の枢支軸４２ＳＢ、４４ＳＢが干渉しないような逃げ溝２４Ｇを有する補強延長片２４Ｅは、リンクアーム４０がどの位置に変位してもこのリンクアーム４０及び第２取り付け部材３０を下支えしているので、扉３の重量は、この補強延長片２４Ｅとリンクアーム４０と第２取り付け部材３０とに分散され、枢支軸４２ＳＢ、４４ＳＢに無理な力が加わることがなく、枢支軸４２ＳＢ，４４ＳＢの変形（曲げ）及び枢支軸貫通用の孔の変形を生ずることがなく、扉３を適正に保持して扉の開閉を適正に行うことができる。
【００２８】
上記の形態においては、リンクアーム４０及び第２取り付け部材３０に加わる荷重を下支えするように補強延長片２４Ｅが設けられているが、本発明は、これに限られない。例えば、扉の荷重がリンクアーム４０に加わり、この荷重を補強延長片２４Ｅで受けていてもよいし、扉の荷重が第２取り付け部材３０に加わり、この荷重を補強延長片２４Ｅで受けてもよい。
【００２９】
図４に示す形態においては、上方の補強延長片２４Ｅ（一対の補強延長片のうち上方に位置する補強延長片）の上に、上方の第２取り付け部材３０の重合部３４（一対の重合部のうち上方に位置する重合部）が配置されているが、上方の補強延長片２４Ｅの下に上方の第２取り付け部材３０の重合部３４を配置してもよい。要するに、本発明は、第１取り付け部材２０が扉の荷重を下支えする補強延長片２４Ｅを備えていればよい。
【産業上の利用可能性】
【００３０】
本発明によれば、リンクアームと第２取り付け部材との枢支部である第２取付け部材側の枢支軸が第１取付け部材の補強延長片によって補強されるので、扉の重量によってヒンジ装置が破損することがなく、扉を常に適性に開閉することができ、高い産業上の利用性を有する。
【図面の簡単な説明】
【００３１】
【図１】本発明のヒンジ装置を用いたキャビネットの扉開き状態の概略斜視図である。
【図２】図１のキャビネットの上方のヒンジ装置の取り付け状態の拡大斜視図である。
【図３】図１のキャビネットの下方のヒンジ装置の取り付け状態の拡大斜視図である。
【図４】上方のヒンジ装置を示し、同図（Ａ）は、扉閉じ位置の斜視図、同図（Ｂ）は、分解斜視図である。
【図５】下方のヒンジ装置を示し、同図（Ａ）は、扉閉じ位置の斜視図、同図（Ｂ）は、分解斜視図である。
【図６】下方のヒンジ装置の扉閉じ位置に相応する状態を示し、同図（Ａ）乃至（Ｄ）は、それぞれその上面図、正面図、側面図及び斜視図、同図（Ｅ）（Ｆ）は、それぞれ、同図（Ｂ）のＥ−Ｅ線及びＦ−Ｆ線断面図である。
【図７】下方のヒンジ装置の扉を僅かに開いた位置に相応する状態を示し、同図（Ａ）乃至（Ｄ）は、それぞれその上面図、正面図、側面図及び斜視図、同図（Ｅ）（Ｆ）は、それぞれ、同図（Ｂ）のＥ−Ｅ線及びＦ−Ｆ線断面図である。
【図８】下方のヒンジ装置の扉を図７よりも更に開いた位置に相応する状態を示し、同図（Ａ）乃至（Ｄ）は、それぞれその上面図、正面図、側面図及び斜視図、同図（Ｅ）（Ｆ）は、それぞれ、同図（Ｂ）のＥ−Ｅ線及びＦ−Ｆ線断面図である。
【図９】下方のヒンジ装置の扉を図８よりも更に開いた位置に相応する状態を示し、同図（Ａ）乃至（Ｄ）は、それぞれその上面図、正面図、側面図及び斜視図、同図（Ｅ）（Ｆ）は、それぞれ、同図（Ｂ）のＥ−Ｅ線及びＦ−Ｆ線断面図である。
【図１０】下方のヒンジ装置の扉完全開位置に相応する状態を示し、同図（Ａ）乃至（Ｄ）は、それぞれその上面図、正面図、側面図及び斜視図、同図（Ｅ）（Ｆ）は、それぞれ、同図（Ｂ）のＥ−Ｅ線及びＦ−Ｆ線断面図である。
【図１１】同図（Ａ）乃至（Ｅ）は、それぞれ、扉を閉じた位置、１５°、４５°、７５°開いた位置及び１００°開いた位置（完全開位置）に相応する下方のヒンジ装置の状態（それぞれ図６乃至図１０に相応する状態）を示す上面図である。
【符号の説明】
【００３２】
１      キャビネット
２      筐体
３      扉
３Ｒ    窪み
１０      ヒンジ装置
２０      第１取付け部材
２２      取付け板
２４      重合部
２４Ｅ    補強延長片
２４ｅ    側壁縁
２４Ｇ    逃げ溝
３０      第２取付け部材
３２      取付け板部
３４      重合部
３４Ｅ    延長片
３６      折り曲げ部
４０      リンクアーム
４２      アーム
４２ＳＡ  枢支軸
４２ＳＢ  枢支軸
４４      アーム
４４Ｒ    凹部
４４Ｓ    段部
４４ＳＡ  枢支軸
４４ＳＢ  枢支軸
５０      スペーサ
【図１】
0005085304.tif 000002
【図２】
0005085304.tif 000003
【図３】
0005085304.tif 000004
【図４】
0005085304.tif 000005
【図５】
0005085304.tif 000006
【図６】
0005085304.tif 000007
【図７】
0005085304.tif 000008
【図８】
0005085304.tif 000009
【図９】
0005085304.tif 000010
【図１０】
0005085304.tif 000011
【図１１】
0005085304.tif 000012